(57)【要約】【課題】定尺なパネルをフェッシャープレートの共通の単位として、単位パネル同士の連結を作業性良く、簡易に行えるようにしたフェッシャープレートを提供する。【解決手段】エレベータの乗場出入口に設置される乗場敷居16と、この乗場敷居の下方に設置されるヘッダーケース17の間に架設されるフェッシャープレート10において、昇降路の上下方向に互いに連結可能であり、フェッシャープレートを構成する基本単位となる定尺の単位パネル12を１枚以上有し、単位パネル12は、フック形式の引っ掛け部19と、前記引っ掛け部よりも下方に形成され、下側に連結される別の単位パネル12の引っ掛け部が係合可能な引っ掛け受部20と、を有する。【選択図】図１
2019085258.tif 000002
【特許請求の範囲】
【請求項１】
エレベータの乗場出入口に設置される乗場敷居と、この乗場の下方に設置されるヘッダーケースの間に架設されるフェッシャープレートにおいて、
昇降路の上下方向に互いに連結可能であり、前記フェッシャープレートを構成する基本単位となる定尺の単位パネルを１枚以上有し、
前記単位パネルは、フック形式の引っ掛け部と、
前記引っ掛け部よりも下方に形成され、下側に連結される別の単位パネルの前記引っ掛け部が係合可能な引っ掛け受部と、を有することを特徴とするフェッシャープレート。
【請求項２】
前記引っ掛け部は、矩形状の開口の切り曲げ加工により成形される切り起し部からなり、
前記引っ掛け受け部は、前記引っ掛け部が係止可能な開口部の下縁からなることを特徴とする請求項１に記載のフェッシャープレート。
【請求項３】
前記引っ掛け部の開口は、前記単位パネルの前面からの締結部材の締結作業用の窓部をなすことを特徴とする請求項２に記載のフェッシャープレート。
【請求項４】
前記単位パネルの下部には、所定の角度で折れ曲がった曲げ部を有し、前記引っ掛け部は、フックをなす面が前記曲げ部と同角度で傾斜し、前記引っ掛け受け部の開口部は、前記曲げ部の折れ目にかかるか、若しくはその上に位置することを特徴とする請求項２に記載のフェッシャープレート。
【請求項５】
前記引っ掛け受け部には、前記切り起し部の先端が引っ掛かり易くする突起片を有し、前記突起片は、前記単位パネルの前面に向かって突き出ることを特徴とする請求項２乃至４のいずれに記載のフェッシャープレート。
【請求項６】
最上位の単位パネルは上連結パネルを介して前記乗場敷居に連結され、前記上連結パネルには、前記単位パネルと同じ引っ掛け受け部を有することを特徴とする請求項１乃至４のいずれに記載のフェッシャープレート。
【請求項７】
最下位の単位パネルは下連結パネルを介して前記ヘッダーケースに連結され、前記下連結パネルには、前記単位パネルと同じ引っ掛け部を有することを特徴とする請求項１乃至４のいずれかに記載のフェッシャープレート。
【請求項８】
前記乗場敷居の側面には、前記単位パネルの切り起し部と同角度に傾斜する面取り面を有し、前記面取り面は前記単位パネルと同じ引っ掛け受け部を有することを特徴とする請求項２乃至４のいずれかに記載のフェッシャープレート。
【請求項９】
前記切り起し部は、形状復元力によって単位パネルを保持するバネ部を有することを特徴とする請求項４に記載のフェッシャープレート。
【発明の詳細な説明】
【技術分野】
【０００１】
本発明の実施形態は、エレベータの昇降路に配置されるフェッシャープレートに関する。
【背景技術】
【０００２】
一般に、エレベータの乗り場では、乗り場出入口の床面から昇降路内に突き出るように、ホールドアの敷居となるホールシルが取り付けられている。乗りかごの出入口にも、かごドアの開閉をスムーズにするカーシルが取り付けられている。乗りかごが乗場に着床した状態では、ホールシルとカーシルとの間には隙間が生じないようになっている。
【０００３】
他方、乗場の各階床間では、昇降路の乗り場側壁面と、乗りかごのカーシルの間には隙間がある。このためエレベータでは、安全対策の一つとして、フェッシャープレートと呼ばれるプレートが昇降路内に設けられている。  
何らかの事情で、乗りかごが階床間に停止した場合には、乗場側壁面とカーシルの間にある隙間が大きいと、万一にもかごドアが開くと乗客が隙間から転落するおそれがある。このため、この隙間をフェッシャープレートで埋めることで、隙間が所定の距離以下になるように法令で定められている。
【０００４】
エレベータが設置される建物では、階間距離や乗場出入口の幅は建物ごとに異なっている。このため、フェッシャープレートは、建物に合わせて長さ、幅などの寸法が決められている。したがって、従来は、長さや幅の異なるフェッシャープレートを建物毎に用意する必要があった。
【０００５】
他方、建物によらず、また各階で共通して利用できるように、定尺にしたプレートを複数枚連結してフェッシャープレートとすることも従来から行われている（特許文献１）。このような定尺プレートは、大量生産に適しており、ストックしたものを建物によらず共通して利用することができる利点がある。
【先行技術文献】
【特許文献】
【０００６】
【特許文献１】特許第５９３２０７４号公報
【発明の開示】
【発明が解決しようとする課題】
【０００７】
しかしながら、この種の定尺プレートを用いたフェッシャープレートの設置においては、ホールシルとその下にあるヘッダーケースまで、プレートを複数枚連結する必要がある。この作業は、安全を確保しながらの昇降路内での煩雑な高所作業となり、作業性に配慮が必要なところ、従来のようにねじをだるま穴引っ掛ける構造のものでは、多点の穴合わせが難しいなど、作業性に難があった。  
また、プレート同士の連結に、外付けの特殊な構造の連結部材が必要となるという問題もあった。
【０００８】
本発明は、前記従来技術の有する問題点に鑑みなされたものであって、定尺なパネルをフェッシャープレートの共通の単位として、単位パネル同士の連結を作業性良く、簡易に行えるようにしたフェッシャープレートを提供することを目的としている。
【課題を解決するための手段】
【０００９】
前記の目的を達成するために、本発明の一実施形態に係るフェッシャープレートは、エレベータの乗場出入口に設置される乗場敷居と、この乗場の下方に設置されるヘッダーケースの間に架設されるフェッシャープレートにおいて、昇降路の上下方向に互いに連結可能であり、前記フェッシャープレートを構成する基本単位となる定尺の単位パネルを１枚以上有し、前記単位パネルは、フック形式の引っ掛け部と、前記引っ掛け部よりも下方に形成され、下側に連結される別の単位パネルの前記引っ掛け部が係合可能な引っ掛け受部と、を有することを特徴とするものである。
【図面の簡単な説明】
【００１０】
【図１】本発明の第１実施形態によるフェッシャープレートの据付状況を示す斜視図である。
【図２】フェッシャープレートを構成する単位パネルが連結されていない状態を示す斜視図である。
【図３】ホールシルに取り付けられる上連結パネルと単位パネルの連結前の状態を示す斜視図である。
【図４】ヘッダーケースに取り付けられる下連結パネルと単位パネルの連結前の状態を示す斜視図である。
【図５】単位パネル同士の連結のさせ方を示す断面図である。
【図６】ねじ止め仕方を示す断面図である。
【図７】単位パネルの変形例を示す斜視図である。
【図８】単位パネルの引っ掛け受け部の変形例を示す斜視図である。
【図９】切り起し部に設ける締結要素の変形例を示す斜視図である。
【図１０】本発明の第２実施形態によるフェッシャープレートを示す斜視図である。
【図１１】従来のフェッシャープレートの横断面図である。
【図１２】第２実施形態による連結状態にない単位パネルを示す斜視図である。
【図１３】本発明の第３実施形態によるフェッシャープレートを示す斜視図である。
【図１４】本発明の第４実施形態において、単位パネルの切り起し部の作用を示す断面図である。
【発明を実施するための最良の形態】
【００１１】
以下、本発明によるフェッシャープレートの実施形態について、添付の図面を参照しながら説明する。  
（第１実施形態）  
図１は、本実施形態によるフェッシャープレートの据付状況を示す斜視図である。この図１において、参照番号10は、昇降路内で組み立てられたフェッシャープレートを示す。  
乗場の出入口では、乗場の床面から昇降路に向かって突き出るように、ホールシル16が取り付けられている。このホールシル16は、ホールドアの開閉を円滑にするための敷居の役割を果たす部材である。  
参照番号17は、ホールシル16の１階下の乗場に設置されているヘッダーケースを示している。ヘッダーケース17は、乗場ドアを開閉駆動するドアマシンが配置されるケースである。
【００１２】
エレベータでは、階床間において、乗場側の壁面から乗りかごのカーシルまでの距離が離れ過ぎていると、万一、乗りかごが階床間で停止した場合に、その隙間から物が落下したり、あるいは扉が開いたときに乗客が転落するおそれがある。これを防止するため、乗場側の壁面とカーシルの間の隙間を埋めるためにフェッシャープレート10が設置されている。フェッシャープレート10は、ホールシル16とヘッダーケース17の間を連続する板をなすように、鉛直方向に延びるように取り付けられている。フェッシャープレート10の長さは、階間の長さに対応しており、階間が長いと長くなり、短いと短くなる。フェッシャープレート10の幅は、乗場出入口の幅に対応している。
【００１３】
図１に示されるように、フェッシャープレート10は、複数枚の単位パネル12Ａ、12Ｂと、ホールシル16に締結部材２６で連結される上連結パネル14と、ヘッダーケース17に締結部材３４で連結される下連結パネル15と、から構成されている。フェッシャープレート10の全体の長さに応じて、単位パネルの枚数（１枚以上）は変わってくるが、ここでは、わかりやすくするために、２枚の単位パネル12Ａ、12Ｂを代表例として説明する。
【００１４】
図２は、単位パネル12Ａ、12Ｂが連結されていない状態を示す斜視図である。  
単位パネル12Ａ、12Ｂは、同一の寸法、構造を有しており、フェッシャープレート10の基本単位となる定尺パネルであり、予め定められた標準寸法のパネルである。
【００１５】
図２では、単位パネル12Ａ、12Ｂはともに、前面側（設置状態で昇降路に向く方の面）が示されている。ここで、単位パネルの幅方向、長さ方向を図２に示す方向とする。
【００１６】
上側の単位パネル12Ａでは、その上部の複数箇所に所定の間隔をとって、窓部18が開口している。窓部18は、板金の切り曲げ加工によって形成され、窓部18の上辺を残して矩形状の開口を開け、残った辺のところで曲げて本体に対して斜めになった切り起し部19が形成されている。この切り起し部19は、フック形式の引っ掛け部を構成するようになっている。単位パネル12Ａでは、各切り起し部19と一対一に対応して、各切り起し部19の下方、この場合パネル下部には、引っ掛け受部としての開口部22が形成されている。
【００１７】
この実施形態では、単位パネル12Ａの下縁部は、パネルの表面と鋭角をなすように裏面側に折り曲げられた曲げ部13が形成されている。開口部22の下縁は、曲げ部13にかかるように位置しているがこれに限定されるものではない。曲げ部13の折れ目より上に位置していてもよい。この実施形態の単位パネル12Ａ、12Ｂでは、切り起し部19の傾斜は、曲げ部13の傾斜と同一になっている。
【００１８】
このような曲げ部13を有する単位パネル12Ａは、フェッシャープレートとしてだけでなく、昇降路の構造によっては乗場敷居16に取り付けられるトーガードとしても利用できるパネルである。
【００１９】
下側の単位パネル12Ｂは、単位パネル12Ａと同一の構造を有しているので、同一の構成要素には同一の参照番号が付されている。図２において、単位パネル12Ａ、12Ｂ同士を連結するには、下側の単位パネル12Ｂの各切り起し部19を上側の単位パネル12Ａの各開口部22に入れて引っ掛けるようになっている。なお、図２において、２０は切り起し部19に形成されたねじ穴を示し、２３は、開口部２２の下に形成されたねじ穴を示す。
【００２０】
次に、図３は、ホールシル16に取り付けられる上連結パネル14と単位パネル12Ａ（最上位の単位パネル）の連結前の状態を示す斜視図である。  
上連結パネル14は、単位パネル12Ａと同じ寸法の幅を有しているが、長さについては、設置する階の階間長に合わせて適宜調整される。この上連結パネル14は、単位パネル12Ａと同様に、曲げ部14ａが形成され、曲げ部14ａにかかるように複数の開口部36が開口している。単位パネル12Ａの各切り起し部19は、各開口部36を引っ掛け受け部として、これに引っ掛けられるようになっているところは、図２に示した単位パネル12Ａ、12Ｂ同士の連結の場合と同様である。上連結パネル14の上部には、複数のねじ穴37が形成され、上連結パネル14は、ねじなどの締結要素26を用いてホールシル16に締結される（図１参照）。
【００２１】
次に、図4は、ヘッダーケース17に取り付けられる下連結パネル15と単位パネル12Ｂ（最下位の単位パネル）の連結前の状態を示す斜視図である。  
下連結パネル15は、単位パネル12Ｂと同じ寸法の幅を有しているが、長さについては、設置する階の階間長に合わせて適宜調整される。下連結パネル15は、単位パネル12Ｂのような曲げ部13は形成されていない平らなパネルである。下連結パネル15には、単位パネル12Ｂと同様に、窓部30が開口するとともに、切り起し部33が形成されている。切り起し部33は、単位パネル12Ｂの各開口部22の下縁を引っ掛け受け部として、引っ掛けられるようになっているところは、図２の単位パネル12Ａ、12Ｂ同士の連結の場合と同様である。下連結パネル15の下部には、複数のねじ穴38が形成され、ねじなどの締結要素34を用いてヘッダーケース17に締結される（図１参照）。
【００２２】
本実施形態によるフェッシャープレートは、以上のように構成されるものであり、次に、フェッシャープレートの組み立て方について説明する。  
まず、単位パネル12Ａ、12Ｂ同士の連結について、図５、図６を参照して説明する。  
上に位置している単位パネル12Ａには、開口部22がある。この開口部22に、下側の単位パネル12Ｂの切り起し部19を入れると、開口部22の下縁が引っ掛け受け部となって、切り起し部19を係止させることができる。このとき、単位パネル12Ａ、12Ｂが平行な状態にあれば、切り起し部19は曲げ部13に裏側から重なった状態になる。このようにして、下側の単位パネル12Ｂを上側の単位パネル12Ａに簡単に仮付けすることができる。図２に示されるように、単位パネル12Ａ、12Ｂでは、切り起し部19の配列間隔と、開口部22の配列間隔は同一になっており、各切り起し部19を一度に各開口部22に簡単に引っ掛け、単位パネル12Ｂを仮付けすることが可能である。
【００２３】
次に、図６は、ねじ止めの仕方を示す図である。このうち、図６（ａ）には、パネル前方の作業者からみた単位パネル12Ｂの窓部18が示されている。本実施形態では、切り起し部19を形成している結果として締結作業用の窓部18が開口しており、この窓部18からは切り起し部19の重なり部分が作業者に見えるようになっている。このため、仮付けした単位パネル12Ｂの位置を調整して、ねじ穴20、23の位置合わせを容易に行うことができる。しかも、図６（ｃ）に示されるように、ねじ穴20、23の位置が合ったあとは、窓部18からねじ50を入れ、作業性良く締結することができる。
【００２４】
図１、図３において、単位パネル12Ａを上連結パネル14を介してホールシル16に連結する操作、図４において、下連結パネル15を介して単位パネル12Ｂをヘッダーケース17に連結する操作も、単位パネル12Ａ、12Ｂの連結する操作とまったく同じようにして行うことができる。
【００２５】
また、本実施形態によれば、定尺の単位パネル12Ａ、12Ｂをフェッシャープレート10の基本構成部材としているので、設置場所の階間長によらずに、単位パネル12Ａ、12Ｂの枚数を調整してフェッシャープレートを組み立てることができ、汎用的に単位パネル12Ａ、12Ｂを使用できる。とくに、単位パネル12Ａ、12Ｂの寸法をトーガードと共通に標準化すれば、トーガードとしても利用できる。
【００２６】
さらに、単位パネル12Ａ、12Ｂは、連結に必要な切り起し部19などの構造を板金プレス加工によって付加できるので、大量生産性も高く、また、外付けの連結金具も必要としないので、製造コストを低減することが可能である。
【００２７】
（変形例）  
次に、本実施形態による単位パネル（上下の位置の区別は問題ではないので、単位パネル12とする）の変形例について、図７乃至図９を参照して説明する。  
図７は、単位パネル12の変形例を示す斜視図である。この単位パネル12では、開口部22の下縁に突起片40が引っ掛け受け部として設けられている。この突起片40は、その両側にスリットを曲げ部13において切り込み、単位パネル12の前面に向かって突き出るようになっている。図７に示した突起片40は、その先端は単位パネル12の前よりも突き出てはいない例である。突起片40に、切り起し部19をより引っ掛かり易くするには、図８（ａ）に示されるように、突起片40を単位パネル12の前面からさらに突き出るような形状にするのが好適である。
【００２８】
図８（ｂ）に示す変形例は、曲げ部13に設ける丸穴をだるま穴44にした例である。図８（ｃ）に示す変形例は、丸穴の替わりにスリット46を形成した例である。だるま穴44、スリット46の場合は、いずれも切り起し部19にねじを予め付けた状態で引っ掛けられるので、より作業性が良くなる利点がある。
【００２９】
次に、図９は、切り起し部19に設ける締結要素の変形例を示す図である。図９（ａ）は、締結要素としてナット54を取り付けた例、図９（ｂ）は、締結要素としてスタッドボルト58を取り付けた例、図９（ｃ）は、締結要素として雌ねじ56をタップ加工した例である。
【００３０】
（第２実施形態）
次に、本発明の第２実施形態に係るフェッシャープレートについて、図１０乃至図１２を参照して説明する。  
図１０は、本発明の第２実施形態によるフェッシャープレート10を示す斜視図である。フェッシャープレート10が、複数枚の単位パネル12Ａ、12Ｂと、ホールシル16に連結される上連結パネル14と、ヘッダーケース17に連結される下連結パネル15と、から構成されている点は、第１実施形態と同様である。この第２実施形態が第１実施形態と異なるのは、単位パネル12Ａ、12Ｂに曲げ部13を有していない点、切り起し部19の形状が異なる点にある。
【００３１】
図１１は、第２実施形態による連結状態にない単位パネル12Ａ、12Ｂを示す斜視図である。単位パネル12Ａ、12Ｂは、同じ寸法の長方形のプレートである。複数設けられている開口部22は、第１実施形態と同一である。これに対して、切り起し部60は、図１２に示すような形状になっている。
【００３２】
切り起し部60は、フックをなすように折れ曲がっている点は第１実施形態と同様であるが、単位パネル12Ａ、12Ｂの本体と平行に延びるようになっている。切り起し部60が、開口部22の下縁を引っ掛け受け部として十分に係止すると、ねじ穴20、23を重ねることができる。
【００３３】
なお、図１０において、特に図示はしないが、上連結パネル14と単位パネル12Ａとの連結、単位パネル12Ｂと下連結パネル17との連結についても、上述した単位パネル12Ａ、12Ｂ同士の連結構造が採用されている。
【００３４】
以上のような第２実施形態によっても、第１実施形態と同様と手順でフェッシャープレートの設置を行うことができる。
【００３５】
（第３実施形態）
次に、図１３は、本発明の第３実施形態によるフェッシャープレートを示す図である。  
この第３実施形態は、図１の第１実施形態において、上連結パネル14を用いる替わりに、単位パネル12Ａをホールシル16に直接取り付けるようにした実施の形態である。したがって、第３実施形態については、３枚の単位プレート12Ａ、12Ｂ、12Ｃを連結してフェッシャープレートとして階間に配置する形態を例にして説明する。本実施形態の場合、単位プレート１枚以上で適用できることはもちろんである。単位プレート12Ａ、12Ｂ、12Ｃの構造そのものは、第１実施形態と同一であるので、同一の構成要素には同一の参照番号を付して、その説明は省略する。
【００３６】
図１３に示されるように、単位パネル12Ａをホールシル16に直接取り付けられるように、ホールシル16の側面には、単位パネル12Ａ、12Ｂ、12Ｃと同様に、開口部22が同数同間隔で形成されている。
【００３７】
またホールシル16の側面の下には、面取り面62が形成されており、この面取り面62は、切り起し部19を受けられるように、各単位パネル12Ａ、12Ｂ、12Ｃの曲げ部13に相当するようになっている。面取り面62は、曲げ部13および切り起し部19と同一角度で、側面16ａに対して傾斜している。面取り面62には、各開口部22の下にねじ穴23が形成されている。
【００３８】
以上のような第３実施形態によれば、単位パネル12Ａを直接ホールシル16に作業性良く取り付けられるので、各単位パネル12Ａ、12Ｂ、12Ｃをより汎用的に利用できる利点がある。なお、階間長に対する調整は、単位パネル12Ａ、12Ｂ、12Ｃの枚数および下連結パネル15の長さで行うことになる。
【００３９】
（第４実施形態）
次に、図１４は、本発明の第４実施形態において、単位パネル12Ｂの切り起し部65を示す断面図である。    
この第４実施形態では、切り起し部65が、弾性力を発生するバネ部として構成されており、切り起し部65の根本に係合部64が形成されている。切り起し部部65に力が加わっていない状態では、切り起し部65は、図１４（ａ）において左側に示すような位置にあり、切り起し部65は、曲げ部13と平行である。
【００４０】
図１４（ｂ）に示されるように、このような切り起し部65を開口部22に差し込むと、係合部64が開口部22の上縁に当たり、それ以上は入らなくなる。この状態で切り起し部65を開口部22の下縁に引っ掛けて、単位パネル12Bを仮止めすることができる。  
次に、単位パネル12Bを少し下げて切り起し部65を変形させると、切り起し部65を開口部22に差し込むことができるようになる（図１４（ｃ））。  
そして、図１４（ｄ）に示されるように、切り起し部65は元の形状に復元しようとする弾性力が発生して曲げ部13に係合する。このとき、単位パネル12ＢがＡ点回りに回ろうとしても、係合部64が開口部22の上縁に当たるため、単位パネル12Bを保持することが可能になる。
【００４１】
以上のような第４実施形態によれば、ねじなどの締結部材を用いることなく、切り起し部65を引っ掛けるだけで、単位パネル12Ｂを連結することができる。
【００４２】
以上、本発明に係るフェッシャープレートについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４３】
10…フェッシャープレート、12Ａ、12Ｂ…単位パネル、14…上連結パネル、16…ホールシル、17…ヘッダーケース、18…窓部、19…切り起し部、22…開口部、33…切り起し部、40…突起片、44…だるま穴、46…スリット、54…ナット、58…スタッドボルト、56…雌ねじ、60…切り起し部、64…バネ部、65…切り起し部
【図１】
2019085258.tif 000003
【図２】
2019085258.tif 000004
【図３】
2019085258.tif 000005
【図４】
2019085258.tif 000006
【図５】
2019085258.tif 000007
【図６】
2019085258.tif 000008
【図７】
2019085258.tif 000009
【図８】
2019085258.tif 000010
【図９】
2019085258.tif 000011
【図１０】
2019085258.tif 000012
【図１１】
2019085258.tif 000013
【図１２】
2019085258.tif 000014
【図１３】
2019085258.tif 000015
【図１４】
2019085258.tif 000016
【手続補正書】
【提出日】平成30年12月25日(2018.12.25)
【手続補正１】
【補正対象書類名】明細書
【補正対象項目名】０００９
【補正方法】変更
【補正の内容】
【０００９】
前記の目的を達成するために、本発明の一実施形態に係るフェッシャープレートは、エレベータの乗場出入口に設置される乗場敷居と、この乗場の下方に設置されるヘッダーケースの間に架設されるフェッシャープレートにおいて、昇降路の上下方向に互いに連結可能であり、前記フェッシャープレートを構成する基本単位となる定尺の単位パネルを１枚以上有し、前記単位パネルは、フック形式の引っ掛け部と、前記引っ掛け部よりも下方に形成され、下側に連結される別の単位パネルの前記引っ掛け部が係合可能な引っ掛け受部と、を有し、前記引っ掛け部は、矩形状の開口の切り曲げ加工により成形される切り起し部からなり、前記引っ掛け受け部は、前記引っ掛け部が係止可能な開口部の下縁からなり、前記引っ掛け部の開口は、前記単位パネルの前面からの締結部材の締結作業用の窓部をなすことを特徴とする。
【手続補正２】
【補正対象書類名】特許請求の範囲
【補正対象項目名】全文
【補正方法】変更
【補正の内容】
【特許請求の範囲】
【請求項１】
エレベータの乗場出入口に設置される乗場敷居と、この乗場の下方に設置されるヘッダーケースの間に架設されるフェッシャープレートにおいて、
昇降路の上下方向に互いに連結可能であり、前記フェッシャープレートを構成する基本単位となる定尺の単位パネルを１枚以上有し、
前記単位パネルは、フック形式の引っ掛け部と、
前記引っ掛け部よりも下方に形成され、下側に連結される別の単位パネルの前記引っ掛け部が係合可能な引っ掛け受部と、を有し、
前記引っ掛け部は、矩形状の開口の切り曲げ加工により成形される切り起し部からなり、
前記引っ掛け受け部は、前記引っ掛け部が係止可能な開口部の下縁からなり、
前記引っ掛け部の開口は、前記単位パネルの前面からの締結部材の締結作業用の窓部をなすことを特徴とするフェッシャープレート。
【請求項２】
前記単位パネルの下部には、所定の角度で折れ曲がった曲げ部を有し、前記引っ掛け部は、フックをなす面が前記曲げ部と同角度で傾斜し、前記引っ掛け受け部の開口部は、前記曲げ部の折れ目にかかるか、若しくはその上に位置することを特徴とする請求項１に記載のフェッシャープレート。
【請求項３】
前記引っ掛け受け部には、前記切り起し部の先端が引っ掛かり易くする突起片を有し、前記突起片は、前記単位パネルの前面に向かって突き出ることを特徴とする請求項１または２に記載のフェッシャープレート。
【請求項４】
最上位の単位パネルは上連結パネルを介して前記乗場敷居に連結され、前記上連結パネルには、前記単位パネルと同じ引っ掛け受け部を有することを特徴とする請求項１または２に記載のフェッシャープレート。
【請求項５】
最下位の単位パネルは下連結パネルを介して前記ヘッダーケースに連結され、前記下連結パネルには、前記単位パネルと同じ引っ掛け部を有することを特徴とする請求項１または２に記載のフェッシャープレート。
【請求項６】
前記乗場敷居の側面には、前記単位パネルの切り起し部と同角度に傾斜する面取り面を有し、前記面取り面は前記単位パネルと同じ引っ掛け受け部を有することを特徴とする請求項１または２に記載のフェッシャープレート。
【請求項７】
前記切り起し部は、形状復元力によって単位パネルを保持するバネ部を有することを特徴とする請求項２に記載のフェッシャープレート。